【手続補正書】
【提出日】平成28年3月22日(2016.3.22)
【手続補正１】
【補正対象書類名】特許請求の範囲
【補正対象項目名】全文
【補正方法】変更
【補正の内容】
【特許請求の範囲】
【請求項１】
無線通信の方法であって、
デバイスが、遠隔の近距離通信、ＮＦＣ、デバイスと通信するためにＮＦＣアクションを実施することを試みていることを検出することと、
前記デバイスが前記ＮＦＣアクションを実施することを試みているという決定に応答して、前記デバイスの第２の面におけるアンテナ位置に対応する前記デバイスの第１の面における第１の位置を示すための第１の感覚キューを提供することと、
前記デバイスが実施することを試みているＮＦＣアクションのタイプを決定することと、および
前記決定されたタイプのＮＦＣアクションに関連する１以上のファクタに基づいて、前記デバイスの前記第１の面上に第２の位置を示す第２の感覚キューを提供することと、
を備える、方法。
【請求項２】
前記１以上のファクタは、前記デバイスに関連する前記アンテナと前記遠隔のＮＦＣデバイスに関連するアンテナとの比較上のサイズを含む、請求項１に記載の方法。
【請求項３】
前記１以上のファクタは、前記アンテナ位置と前記遠隔のＮＦＣデバイスに関連するアンテナとの磁気結合の強さを示す結合値を含む、請求項１に記載の方法。
【請求項４】
前記第１の感覚キューと前記第２の感覚キューのうちの少なくとも１つは、前記第１の面における前記デバイスのユーザインタフェース上の図形表現を備える、請求項１に記載の方法。
【請求項５】
前記図形表現は、ターゲット形状、位置を示すテキスト、およびユーザが従う１以上の指示を示すテキストのうちの少なくとも１つを備える、請求項４に記載の方法。
【請求項６】
前記第１の感覚キューと前記第２の感覚キューのうちの少なくとも１つは、可変的な振動インジケーションを備え、ここで、前記可変的な振動インジケーションは、前記第１のまたは第２の位置と前記デバイスの現在のポジションとの間の距離に基づいて、前記デバイス振動の強度および周波数のうちの少なくとも１つを変える、請求項１に記載の方法。
【請求項７】
前記第１の感覚キューと前記第２の感覚キューのうちの少なくとも１つは、可変的な聴覚インジケーションを備え、ここで、前記可変的な聴覚インジケーションは、前記第１のまたは第２の位置と前記デバイスの現在のポジションとの間の距離に基づいて、前記デバイス聴覚インジケーションの音量、音声メッセージ、周波数のうちの少なくとも１つを変える、請求項１に記載の方法。
【請求項８】
前記検出はさらに、
前記デバイスのアクティベーション、
アプリケーションの開始、
前記デバイスの向きの変化、および
ユーザ入力、
のうちの少なくとも１つを検出することを備える、請求項１に記載の方法。
【請求項９】
装置であって、
デバイスが、遠隔の近距離通信、ＮＦＣ、デバイスと通信するためにＮＦＣアクションを実施することを試みていることを検出するための手段と、
前記デバイスが前記ＮＦＣアクションを実施することを試みているという決定に応答して、前記デバイスの第２の面におけるアンテナ位置に対応する前記デバイスの第１の面における第１の位置を示すための第１の感覚キューを提供するための手段と、
前記デバイスが実施することを試みているＮＦＣアクションのタイプを決定するための手段と、
前記決定されたタイプのＮＦＣアクションに関連する１以上のファクタに基づいて、前記デバイスの前記第１の面上に第２の位置を示す第２の感覚キューを提供するための手段と、
を備える、装置。
【請求項１０】
前記１以上のファクタは、前記デバイスに関連する前記アンテナと前記遠隔のＮＦＣデバイスに関連するアンテナとの比較上のサイズを含む、請求項９に記載の装置。
【請求項１１】
前記１以上のファクタは、前記アンテナ位置と前記遠隔のＮＦＣデバイスに関連するアンテナとの磁気結合の強さを示す結合値を含む、請求項９に記載の装置。
【請求項１２】
前記第１の感覚キューと前記第２の感覚キューのうちの少なくとも１つは、前記第１の面における前記デバイスのユーザインタフェース上の図形表現を備える、請求項９に記載の装置。
【請求項１３】
前記図形表現は、ターゲット形状、位置を示すテキスト、およびユーザが従う１以上の指示を示すテキストのうちの少なくとも１つを備える、請求項１２に記載の装置。
【請求項１４】
前記第１の感覚キューと前記第２の感覚キューのうちの少なくとも１つは、可変的な振動インジケーションを備え、ここで、前記可変的な振動インジケーションは、前記第１のまたは第２の位置と前記デバイスの現在のポジションとの間の距離に基づいて、前記デバイス振動の強度および周波数のうちの少なくとも１つを変える、請求項９に記載の装置。
【請求項１５】
コンピュータプログラム製品であって、
実行される時に、少なくとも１つのコンピュータに、請求項１から８に記載の方法のうちのいくつかに応じる方法を実行させるためのコード
を備えるコンピュータ読み取り可能な媒体、
を備える、コンピュータプログラム製品。
【手続補正２】
【補正対象書類名】明細書
【補正対象項目名】００７１
【補正方法】変更
【補正の内容】
【００７１】
[0080]  前述の開示は、例示の態様および／または態様を説明するが、添付の特許請求の範囲によって定義される態様および／または説明された態様の範囲を逸脱することなく、本明細書で多様な変化および修正がなされることができることは留意されるべきである。さらに、態様および／または説明された態様の要素は、単数形で特許請求あるいは説明され得るが、単数形への限定が明確に述べられていない限り、複数系が考慮されている。さらに、態様および／または任意の態様の一部または全ては、他に指定されない限り、態様および／または任意の他の態様の一部または全てで利用され得る。
以下に、本願出願の当初の特許請求の範囲に記載された発明を付記する。
［Ｃ１］
無線通信の方法であって、
デバイスが、遠隔の近距離通信（ＮＦＣ）デバイスと通信するためにＮＦＣアクションを実施することを試みていることを検出することと、
前記デバイスが前記ＮＦＣアクションを実施することを試みているという決定に応答して、前記デバイスの第２の面におけるアンテナ位置に対応する前記デバイスの第１の面における第１の位置を示すための第１の感覚キューを提供することと、
前記デバイスが実施することを試みているＮＦＣアクションのタイプを決定することと、および
前記決定されたタイプのＮＦＣアクションに関連する１以上のファクタに基づいて、前記デバイスの前記第１の面上に第２の位置を示す第２の感覚キューを提供することと、
を備える、方法。
［Ｃ２］
前記１以上のファクタは、前記デバイスに関連する前記アンテナと前記遠隔のＮＦＣデバイスに関連するアンテナとの比較上のサイズを含む、Ｃ１に記載の方法。
［Ｃ３］
前記１以上のファクタは、前記アンテナ位置と前記遠隔のＮＦＣデバイスに関連するアンテナとの磁気結合の強さを示す結合値を含む、Ｃ１に記載の方法。
［Ｃ４］
前記第１の感覚キューと前記第２の感覚キューのうちの少なくとも１つは、前記第１の面における前記デバイスのユーザインタフェース上の図形表現を備える、Ｃ１に記載の方法。
［Ｃ５］
前記図形表現は、ターゲット形状、位置を示すテキスト、およびユーザが従うための１以上の指示を示すテキストのうちの少なくとも１つを備える、Ｃ４に記載の方法。
［Ｃ６］
前記第１の感覚キューと前記第２の感覚キューのうちの少なくとも１つは、可変的な振動インジケーションを備え、ここで、前記可変的な振動インジケーションは、前記第１のまたは第２の位置と前記デバイスの現在のポジションとの間の距離に基づいて、前記デバイス振動の強度および周波数のうちの少なくとも１つを変える、Ｃ１に記載の方法。
［Ｃ７］
前記第１の感覚キューと前記第２の感覚キューのうちの少なくとも１つは、可変的な聴覚インジケーションを備え、ここで、前記可変的な聴覚インジケーションは、前記第１のまたは第２の位置と前記デバイスの現在のポジションとの間の距離に基づいて、前記デバイス聴覚インジケーションの音量、音声メッセージ、周波数のうちの少なくとも１つを変える、Ｃ１に記載の方法。
［Ｃ８］
前記検出はさらに、
前記デバイスのアクティベーション、
アプリケーションの開始、
前記デバイスの向きの変化、および
ユーザ入力、
のうちの少なくとも１つを検出することを備える、Ｃ１に記載の方法。
［Ｃ９］
コンピュータプログラム製品であって、
デバイスが、遠隔の近距離通信（ＮＦＣ）デバイスと通信するためにＮＦＣアクションを実施することを試みていることを検出し、
前記デバイスが前記ＮＦＣアクションを実施することを試みているという決定に応答して、前記デバイスの第２の面におけるアンテナ位置に対応する前記デバイスの第１の面における第１の位置を示すための第１の感覚キューを提供し、
前記デバイスが実施することを試みているＮＦＣアクションのタイプを決定し、および
前記決定されたタイプのＮＦＣアクションに関連する１以上のファクタに基づいて、前記デバイスの前記第１の面上に第２の位置を示す第２の感覚キューを提供する、
ためのコードを備えるコンピュータ読み取り可能な媒体、
を備える、コンピュータプログラム製品。
［Ｃ１０］
前記１以上のファクタは、前記デバイスに関連する前記アンテナと前記遠隔のＮＦＣデバイスに関連するアンテナとの比較上のサイズを含む、Ｃ９に記載のコンピュータプログラム製品。
［Ｃ１１］
前記１以上のファクタは、前記アンテナ位置と前記遠隔のＮＦＣデバイスに関連するアンテナとの磁気結合の強さを示す結合値を含む、Ｃ９に記載のコンピュータプログラム製品。
［Ｃ１２］
前記第１の感覚キューと前記第２の感覚キューのうちの少なくとも１つは、前記第１の面における前記デバイスのユーザインタフェース上の図形表現を備える、Ｃ９に記載のコンピュータプログラム製品。
［Ｃ１３］
前記図形表現は、ターゲット形状、位置を示すテキスト、およびユーザが従うべき１以上の指示を示すテキストのうちの少なくとも１つを備える、Ｃ１２に記載のコンピュータプログラム製品。
［Ｃ１４］
前記第１の感覚キューと前記第２の感覚キューのうちの少なくとも１つは、可変的な振動インジケーションを備え、ここで、前記可変的な振動インジケーションは、前記第１のまたは第２の位置と前記デバイスの現在のポジションとの間の距離に基づいて、前記デバイス振動の強度および周波数のうちの少なくとも１つを変える、Ｃ９に記載のコンピュータプログラム製品。
［Ｃ１５］
前記第１の感覚キューと前記第２の感覚キューのうちの少なくとも１つは、可変的な聴覚インジケーションを備え、ここで、前記可変的な聴覚インジケーションは、前記第１のまたは第２の位置と前記デバイスの現在のポジションとの間の距離に基づいて、前記デバイス聴覚インジケーションの音量、音声メッセージ、周波数のうちの少なくとも１つを変える、Ｃ９に記載のコンピュータプログラム製品。
［Ｃ１６］
検出するための前記コードはさらに、
前記デバイスのアクティベーション、
アプリケーションの開始、
前記デバイスの向きの変化、および
ユーザ入力、
のうちの少なくとも１つを検出するためのコードを備える、Ｃ９に記載のコンピュータプログラム製品。
［Ｃ１７］
装置であって、
デバイスが、遠隔の近距離通信（ＮＦＣ）デバイスと通信するためにＮＦＣアクションを実施することを試みていることを検出するための手段と、
前記デバイスが前記ＮＦＣアクションを実施することを試みているという決定に応答して、前記デバイスの第２の面におけるアンテナ位置に対応する前記デバイスの第１の面における第１の位置を示すための第１の感覚キューを提供するための手段と、
前記デバイスが実施することを試みているＮＦＣアクションのタイプを決定するための手段と、
前記決定されたタイプのＮＦＣアクションに関連する１以上のファクタに基づいて、前記デバイスの前記第１の面上に第２の位置を示す第２の感覚キューを提供するための手段と、
を備える、装置。
［Ｃ１８］
前記１以上のファクタは、前記デバイスに関連する前記アンテナと前記遠隔のＮＦＣデバイスに関連するアンテナとの比較上のサイズを含む、Ｃ１７に記載の装置。
［Ｃ１９］
前記１以上のファクタは、前記アンテナ位置と前記遠隔のＮＦＣデバイスに関連するアンテナとの磁気結合の強さを示す結合値を含む、Ｃ１７に記載の装置。
［Ｃ２０］
前記第１の感覚キューと前記第２の感覚キューのうちの少なくとも１つは、前記第１の面における前記デバイスのユーザインタフェース上の図形表現を備える、Ｃ１７に記載の装置。
［Ｃ２１］
前記図形表現は、ターゲット形状、位置を示すテキスト、およびユーザが従うべき１以上の指示を示すテキストのうちの少なくとも１つを備える、Ｃ２０に記載の装置。
［Ｃ２２］
前記第１の感覚キューと前記第２の感覚キューのうちの少なくとも１つは、可変的な振動インジケーションを備え、ここで、前記可変的な振動インジケーションは、前記第１のまたは第２の位置と前記デバイスの現在のポジションとの間の距離に基づいて、前記デバイス振動の強度および周波数のうちの少なくとも１つを変える、Ｃ１７に記載の装置。
［Ｃ２３］
前記第１の感覚キューと前記第２の感覚キューのうちの少なくとも１つは、可変的な聴覚インジケーションを備え、ここで、前記可変的な聴覚インジケーションは、前記第１のまたは第２の位置と前記デバイスの現在のポジションとの間の距離に基づいて、前記デバイス聴覚インジケーションの音量、音声メッセージ、周波数のうちの少なくとも１つを変える、Ｃ１７に記載の装置。
［Ｃ２４］
前記第１の面は、前記第２の面に対し実質的に平行であり、前記第１のおよび第２の面は、前記デバイスの向かい合う側にあり、ここで、前記第１の面は、ユーザインタフェースをさらに含み、ここで、前記第１のおよび第２の感覚キューのうちの少なくとも１つは、前記ユーザインタフェース上に表示される１以上の図形表現をさらに含む、Ｃ１７に記載の装置。
［Ｃ２５］
前記第２の面は、前記デバイスが前記ＮＦＣアクションを実施するようにポジショニングされる時、ユーザには視覚的にアクセス可能でない、Ｃ１７に記載の装置。
［Ｃ２６］
検出するための前記手段はさらに、
前記デバイスのアクティベーション、
アプリケーションの開始、
前記デバイスの向きの変化、および
ユーザ入力、
のうちの少なくとも１つを検出するための手段を備えるＣ１７に記載の装置。
［Ｃ２７］
ＮＦＣ通信のための装置であって、
前記装置の第１の面上のユーザインタフェース、
前記装置の第２の面からアクセス可能なアンテナ、
メモリ、
前記メモリに結合されたプロセッサ、および
前記メモリ、前記ユーザインタフェース、または前記プロセッサのうちの少なくとも１つに結合されたＮＦＣアクションポジション最適化モジュールを備え、前記ＮＦＣアクションポジション最適化モジュールは、
前記装置が、遠隔の近距離通信（ＮＦＣ）デバイスと通信するためにＮＦＣアクションを実施することを試みていることを検出し、
前記装置が前記ＮＦＣアクションを実施することを試みているという決定に応答して、前記装置の前記第２の面における前記アンテナ位置に対応する前記装置の前記第１の面における第１の位置を示すための第１の感覚キューを提供し、
前記装置が実施することを試みているＮＦＣアクションのタイプを決定し、および
前記決定されたタイプのＮＦＣアクションに関連する１以上のファクタに基づいて、前記装置の前記第１の面上に第２の位置を示す第２の感覚キューを提供する、
ように構成される、装置。
［Ｃ２８］
前記１以上のファクタは、前記装置に関連する前記アンテナと前記遠隔のＮＦＣデバイスに関連するアンテナとの比較上のサイズを含む、Ｃ２７に記載の装置。
［Ｃ２９］
前記１以上のファクタは、前記アンテナ位置と前記遠隔のＮＦＣデバイスに関連するアンテナとの磁気結合の強さを示す結合値を含む、Ｃ２７に記載の装置。
［Ｃ３０］
前記第１の感覚キューと前記第２の感覚キューのうちの少なくとも１つは、前記第１の面における前記装置の前記ユーザインタフェース上の図形表現を備える、Ｃ２７に記載の装置。
［Ｃ３１］
前記図形表現は、ターゲット形状、位置を示すテキスト、およびユーザが従うべき１以上の指示を示すテキストのうちの少なくとも１つを備える、Ｃ３０に記載の装置。
［Ｃ３２］
前記第１の感覚キューと前記第２の感覚キューのうちの少なくとも１つは、可変的な振動インジケーションを備え、ここで、前記可変的な振動インジケーションは、前記第１のまたは第２の位置と前記装置の現在のポジションとの間の距離に基づいて、前記装置振動の強度および周波数のうちの少なくとも１つを変える、Ｃ２７に記載の装置。
［Ｃ３３］
前記第１の感覚キューと前記第２の感覚キューのうちの少なくとも１つは、可変的な聴覚インジケーションを備え、ここで、前記可変的な聴覚インジケーションは、前記第１のまたは第２の位置と前記装置の現在のポジションとの間の距離に基づいて、前記装置聴覚インジケーションの音量、音声メッセージ、周波数のうちの少なくとも１つを変える、Ｃ２７に記載の装置。
［Ｃ３４］
前記第１の面は、前記第２の面に対し実質的に平行であり、前記第１のおよび第２の面は、前記装置の向かい合う側にあり、ここで、前記第１のおよび第２の感覚キューのうちの少なくとも１つは、前記ユーザインタフェース上に表示される１以上の図形表現をさらに含む、Ｃ２７に記載の装置。
［Ｃ３５］
前記第２の面は、前記装置が前記ＮＦＣアクションを実施するようにポジショニングされる時、ユーザには視覚的にアクセス可能でない、Ｃ２７に記載の装置。
［Ｃ３６］
前記検出することはさらに、
前記装置のアクティベーション、
アプリケーションの開始、
前記装置の向きの変化、および
ユーザ入力、
のうちの少なくとも１つを検出することを備えるＣ２７に記載の装置。